(57)【要約】【課題】  部品点数の増大、ならびに機器の大型化を招くことなく、簡単な構造で接続手段の露出が低減される電子装置を提供する。【解決手段】  第一機能部を収容し、略円筒状に窪んで形成されている収容部を有する第一ケースと、第二機能部を収容し、前記第一ケース側へ中空の略円筒状に突出して形成され前記収容部に収容される突出部、ならびに前記突出部の内側と外側とを連通する開口部を有し、回転軸を中心に前記第一ケースと揺動可能な第二ケースと、前記開口部を経由して前記第一機能部と前記第二機能部とを接続する接続手段と、を備えることを特徴とする画像入出力装置。【選択図】  図１
2005074741.tif 000002
【特許請求の範囲】
【請求項１】
第一機能部を収容し、略円筒状に窪んで形成されている収容部を有する第一ケースと、
第二機能部を収容し、前記第一ケース側へ中空の略円筒状に突出して形成され前記収容部に収容される突出部、ならびに前記突出部の内側と外側とを連通する開口部を有し、回転軸を中心に前記第一ケースと揺動可能な第二ケースと、
前記開口部を経由して前記第一機能部と前記第二機能部とを接続する接続手段と、
を備えることを特徴とする電子装置。
【請求項２】
前記接続手段は、帯状の第一ケーブルと、ひも状の第二ケーブルとを有し、
前記第二ケースは、前記第一ケーブルおよび前記第二ケーブルが挿入される略Ｔ字形状の一つの前記開口部を有することを特徴とする請求項１記載の電子装置。
【請求項３】
前記接続手段は、帯状の第一ケーブルと、ひも状の第二ケーブルとを有し、
前記第二ケースは、前記第一ケーブルおよび前記第二ケーブルがそれぞれ挿入される二つ以上の前記開口部を有することを特徴とする請求項１記載の電子装置。
【請求項４】
前記回転軸は、前記突出部の中心軸に概ね一致していることを特徴とする請求項１、２または３記載の電子装置。
【発明の詳細な説明】
【技術分野】
【０００１】
本発明は、電子装置に関し、特に同一または異なる機能を有する複数の機器を一体に接続した電子装置に関する。
【背景技術】
【０００２】
例えば、画像入出力装置などの複合機あるいはノート型のパーソナルコンピュータ（以下、パーソナルコンピュータを「ＰＣ」とする。）などのように、複数の機器を一体に接続した電子機器が公知である。例えば、複合機の場合、原稿台に載置された原稿を読み取るスキャナが収容されているスキャナハウジングと読み取られた原稿を印刷するプリンタが収容されているプリンタハウジングとが揺動可能に接続されている。また、ノートＰＣの場合、キーボードや各種のドライブを備えるコンピュータ本体と、液晶表示装置（ＬＣＤ）などとが一体に接続されている。
【０００３】
このように複数の機器からなる電子機器の場合、複数のハウジングの開閉が要求される。例えば複合機の場合、プリンタハウジング内部における紙詰まりまたはインクなど交換のため、プリンタハウジングとスキャナハウジングとは開閉が必要となる。従来、プリンタハウジングとスキャナハウジングとの間は、ヒンジあるいは回転軸により揺動可能に接続されている（例えば、特許文献１参照）。
【０００４】
【特許文献１】特開平１１−２０５４９９
【発明の開示】
【発明が解決しようとする課題】
【０００５】
しかしながら、例えば複合機の場合、プリンタハウジングに収容された機器とスキャナハウジングに収容された機器との間は複数の接続手段であるケーブルにより接続されている。そのため、プリンタハウジングとスキャナハウジングとを開閉すると、ケーブルが露出する。ケーブルが露出すると、プリンタハウジングの内部における部材の交換の障害となったり、露出したケーブルと他の部材との干渉によりケーブルの損傷を招くという問題がある。また、ケーブルの露出を防止するため、保護材を追加すると、部品点数の増大、機器の大型化を招くという問題がある。
【０００６】
そこで、本発明の目的は、部品点数の増大、ならびに機器の大型化を招くことなく、簡単な構造で接続手段の露出が低減される電子装置を提供することにある。
【課題を解決するための手段】
【０００７】
本発明に係る電子装置は、第一機能部を収容し、略円筒状に窪んで形成されている収容部を有する第一ケースと、第二機能部を収容し、前記第一ケース側へ中空の略円筒状に突出して形成され前記収容部に収容される突出部、ならびに前記突出部の内側と外側とを連通する開口部を有し、回転軸を中心に前記第一ケースと揺動可能な第二ケースと、前記開口部を経由して前記第一機能部と前記第二機能部とを接続する接続手段と、を備えることを特徴とする。収容部および突出部は、第一ケースと第二ケースとの揺動を支持するために電子装置に設けられる必須の構成部位である。また、収容部および突出部を略円筒形状とすることにより、第一ケースと第二ケースとの開閉時における容積の変化が低減される。したがって、機器の大型化を招くことはない。また、接続手段は、第二ケースから第一ケース側へ突出する略円筒状の突出部に形成される開口部を経由して第一機能部と第二機能部とを接続する。そのため、接続手段の大部分は突出部に収容される。したがって、接続手段を保護するための部材が不要であり、部品点数の増大を招くことがない。さらに、接続手段は、大部分が突出部に収容され、第一機能部側の端部が開口部から外部へ引き出される。したがって、簡単な構造で接続手段の露出を低減することができる。
【０００８】
また、本発明に係る電子装置では、接続手段は、帯状の第一ケーブルと、ひも状の第二ケーブルとを有し、第二ケースは、前記第一ケーブルおよび前記第二ケーブルが挿入される略Ｔ字形状の一つの開口部を有することを特徴とする。そのため、第一ケーブルと第二ケーブルとが開口部を形成する第二ケースの内壁によって拘束される。したがって、第一ケーブルと第二ケーブルとの干渉を防止することができる。第一ケーブルおよび第二ケーブルは単数または複数のいずれであってもよい。
【０００９】
また、本発明に係る電子装置では、接続手段は、帯状の第一ケーブルと、ひも状の第二ケーブルとを有し、第二ケースは、前記第一ケーブルおよび前記第二ケーブルがそれぞれ挿入される二つ以上の開口部を有することを特徴とする。そのため、第一ケーブルおよび第二ケーブルはそれぞれ開口部を形成する第二ケースの内壁によって拘束される。したがって、第一ケーブルと第二ケーブルとの干渉を防止することができる。第一ケーブルおよび第二ケーブルは単数または複数のいずれであってもよい。
【００１０】
さらに、本発明に係る電子装置では、回転軸は、突出部の中心軸に概ね一致していることを特徴とする。そのため、回転軸を中心に第一ケースと第二ケースとが揺動しても、突出部は収容部の内部に収容され、容積の変化が低減される。したがって、機器の大型化を防止することができる。
【発明を実施するための最良の形態】
【００１１】
以下、本発明の複数の実施の形態を図面に基づいて説明する。
（第１実施例）
図１は、本発明の第１実施例による電子装置を適用した画像入出力装置１０において、第一ケースとしてのプリンタハウジング２０と第二ケースとしてのスキャナハウジング３０とが接続されている接続部５０を拡大した断面図である。図１では、スキャナハウジング３０に収容されるキャリッジ４０の移動方向に対し垂直な断面を示している。図２は、画像入出力装置１０の外観を示す概略斜視図である。図３は、画像入出力装置１０の内部構造を示す模式図である。
【００１２】
プリンタハウジング２０には、図１および図２に示す接続部５０ならびに図２に示すヒンジ部５１によってスキャナハウジング３０が揺動可能に接続されている。図１および図３に示すように原稿台３１は、スキャナハウジング３０の上部に形成された開口を塞ぐ透明なガラス板であって、スキャナハウジング３０に固定されている。原稿台３１の盤面には原稿３２が載置される。スキャナハウジング３０に揺動可能に接続された原稿カバー３３には原稿台３１側に図示しない原稿マットが設けられている。図示しない原稿マットは、原稿台３１に載置された原稿３２を原稿台３１に押し付ける。
【００１３】
キャリッジ４０は、箱形に形成され、スキャナハウジング３０の内部に収容されている。キャリッジ４０は、スキャナハウジング３０に固定されたガイドロッド３４に往復移動可能に支持されている。キャリッジ４０は、図１に示すモータ４１によって駆動される図示しないベルトに係止されている。キャリッジ４０はベルトの回転にともなってガイドロッド３４の軸線方向へ往復移動する。
【００１４】
キャリッジ４０の内部には、図３に示すようにリニアイメージセンサ４２を実装した走査回路基板４３、レンズ４４、ミラー４５および光源４６が搭載されている。光源４６は原稿３２の走査線近傍を照射し、ミラー４５およびレンズ４４は照射された原稿３２の走査線上の反射光像をリニアイメージセンサ４２の受光面に結像させる。リニアイメージセンサ４２は、ＲＧＢ各色の受光素子が図３において紙面垂直方向に直線状に並ぶ姿勢で走査回路基板４３に搭載されている。リニアイメージセンサ４２は、受光面に結像された光学像の濃淡に相関する電気信号を出力する。走査回路基板４３には、リニアイメージセンサ４２および光源４６を駆動する回路、ならびにＡＤ変換回路などが実装されている。キャリッジ４０は、図１に示すギア４７およびギア４８を経由して図示しないベルトに伝達された駆動力により往復移動する。上述したキャリッジ４０、ガイドロッド３４、モータ４１、ベルト、走査回路基板４３、レンズ４４、ミラー４５、光源４６およびギア４７、４８などは、スキャナハウジング３０に収容される第二機能部としてスキャナ部を構成している。
【００１５】
プリンタハウジング２０は、図２に示すように上部が開口した箱形に形成され、スキャナハウジング３０の下方に位置する。プリンタハウジング２０は、スキャナハウジング３０を揺動可能に支持する。スキャナハウジング３０をプリンタハウジング２０に対し上方向へ揺動させることにより、プリンタハウジング２０の開口２１から印刷部２２が露出する。プリンタハウジング２０には、図３に示すように印刷部２２、処理部２３、図示しない電源部、ならびに図２に示す操作部２４などが収容されている。プリンタハウジング２０は、内部に収容する印刷部２２などの要素をゆとりをもって収容する大きな内部空間を形成している。これら印刷部２２、処理部２３、電源部および操作部２４などは、プリンタハウジング２０に収容される第一機能部としてプリンタ部を構成している。
【００１６】
印刷部２２は、図示しない用紙搬送部、印刷ヘッド２５および図示しない駆動部などを備えている。用紙搬送部は、図示しない供給ローラ、排出ローラならびにこれらのローラを駆動する歯車列およびモータなどを有している。印刷ヘッド２５は、ガイドロッド２６に往復移動可能に支持されている。印刷ヘッド２５は、図示しない駆動部によって回転するベルトに係止されている。印刷ヘッド２５は、ベルトの回転にともなってガイドロッド２６の軸線方向へ往復移動する。印刷ヘッド２５の駆動部は、ベルトが取り付けられているプーリ、歯車列およびモータなどで構成されている。
【００１７】
印刷ヘッド２５は、例えばインクを吐出するノズル、ピエゾ素子、インク通路などを備え、インクジェット方式によりインク滴を印刷媒体に定着させる。印刷媒体としては、紙類、布類をはじめ、ＣＤ−ＲＯＭなどの樹脂類の媒体が適用される。インクカートリッジ２７、２８は、印刷ヘッド２５に脱着可能に固定されている。インクカートリッジ２７、２８は、各色のインクが貯蔵された容器である。インクカートリッジ２７、２８に貯蔵されたインクは、インク通路を通じて印刷ヘッド２５のノズルに供給される。なお、印刷部２２は、インクジェット方式に限らず、例えばレーザ方式など各種の印刷方式を適用することができる。
【００１８】
処理部２３は、走査回路基板４３から出力させる信号にガンマ補正およびシェーディング補正などを施して画像データを作成する。また、処理部２３は、画像データにハーフトーン処理、解像度変換処理、色空間の変換処理あるいはインターレス処理などを施して印刷データを作成し、印刷データに基づいて印刷部２２を制御する。また、画像入出力装置１０が図示しないＰＣに制御されるイメージスキャナとして機能する場合、処理部２３で作成された画像データは、図示しないインターフェイスを通じてＰＣに出力される。また、画像入出力装置１０がＰＣに制御されるプリンタとして機能する場合、処理部２３にはＰＣからインターフェイスを通じて印刷データが入力される。
【００１９】
スキャナハウジング３０に収容されている走査回路基板４３とプリンタハウジング２０に収容されている処理部２３とは、帯状のフレキシブルフラットケーブル（以下、「ＦＦＣ」という。）１１により電気的に接続されている。また、スキャナハウジング３０に収容されているモータ４１および光源４６などは、ひも状の電源ケーブル１２によりプリンタハウジング２０に収容されている電源部に電気的に接続されている。これらＦＦＣ１１および電源ケーブル１２は接続手段を構成している。
【００２０】
以下、プリンタハウジング２０とスキャナハウジング３０との接続部５０について詳細に説明する。
プリンタハウジング２０には、図１に示すように略円筒形状の収容部５２が形成されている。収容部５２は、リニアイメージセンサ４２の撮像素子配列方向である主走査方向においてキャリッジ４０よりも外側に位置している。収容部５２は、主走査線に沿った断面が略円筒形状である。ここで、略円筒形状には、円筒形状または円弧筒形状が含まれる。本実施例の場合、収容部５２は半円筒形状に形成されている。収容部５２は、プリンタハウジング２０の上端部すなわちスキャナハウジング３０側の端部から反スキャナハウジング側へ窪んでいる。
【００２１】
プリンタハウジング２０の収容部５２には、スキャナハウジング３０の突出部６０が収容される。突出部６０は、中空の略円筒形状であり、スキャナハウジング３０からプリンタハウジング２０側へ突出している。本実施例の場合、突出部６０は、中心角が１８０°より大きな円弧筒形状に形成されている。突出部６０は、プリンタハウジング２０の収容部５２に対向する位置に形成されている。そのため、プリンタハウジング２０の上方にスキャナハウジング３０を取り付けたとき、突出部６０は収容部５２にはめ込まれる。
【００２２】
突出部６０は、収容部５２よりも半径がやや小さな略円弧形状に形成されている。そのため、プリンタハウジング２０の上方にスキャナハウジング３０を取り付けたとき、突出部６０は収容部５２に収容される。また、突出部６０は収容部５２よりも半径が小さいため、突出部６０の外周面と収容部５２の内周面との間には隙間が形成され、プリンタハウジング２０とスキャナハウジング３０とは揺動可能となる。
【００２３】
図４は、本発明の第１実施例による画像入出力装置１０のプリンタハウジング２０に対しスキャナハウジング３０が上方へ揺動した状態を示す図１と同一の位置における断面図である。突出部６０の外周面と収容部５２の内周面との間には隙間が形成されることにより、スキャナハウジング３０はプリンタハウジング２０に対し上方へ揺動可能となる。略円筒形状に形成されている突出部６０および収容部５２の中心は、揺動するスキャナハウジング３０の回転中心と概ね一致している。
【００２４】
図５は、本発明の第１実施例における画像入出力装置１０のスキャナハウジング３０の突出部６０に形成されている開口部６１をプリンタハウジング２０側から見た斜視図である。スキャナハウジング３０は、突出部６０にＦＦＣ１１および電源ケーブル１２が貫く開口部６１を有している。開口部６１は、中空の略円筒形状である突出部６０の内側と外側とを連通している。開口部６１は、略Ｔ字形状に形成され、突出部６０の軸方向の幅が広い広口部６２と幅の狭い狭口部６３とを有している。広口部６２にはＦＦＣ１１が挿入され、狭口部６３には電源ケーブル１２が挿入される。なお、狭口部６３に挿入する接続手段として、電源ケーブル１２だけでなく、図６に示すように例えば電力あるいはデータが転送される扁平ひも状のケーブル１３を含めてもよい。
【００２５】
スキャナハウジング３０に収容されている走査回路基板４３に一方の端部が接続されたＦＦＣ１１は、スキャナハウジング３０の突出部６０の内部へ引き通される。そして、ＦＦＣ１１は、開口部６１を経由してプリンタハウジング２０の内部に収容されている処理部２３に他方の端部が接続される。また、スキャナハウジング３０に収容されているモータ４１および光源４６などに一方の端部が接続された電源ケーブル１２は、スキャナハウジング３０の突出部６０の内部へ引き通される。そして、電源ケーブル１２は、開口部６１を経由してプリンタハウジング２０の内部に収容されている電源に他方の端部が接続される。
【００２６】
図６は、本発明の第１実施例による画像入出力装置１０のスキャナハウジング３０の突出部６０に形成されている開口部６１を示す概略図である。広口部６２は、ＦＦＣ１１の断面形状よりもやや大きく形成されている。また、広口部６２の長手方向の一方の端部には狭口部６３側に向けて形成されている拡大部６４が接続されている。拡大部６４を利用することにより、広口部６２への帯状のＦＦＣ１１の挿入が容易になる。広口部６２と同様に、狭口部６３は、電源ケーブル１２の断面形状よりもやや大きく形成されている。そのため、狭口部６３には電源ケーブル１２が容易に挿入される。
【００２７】
一方、広口部６２に挿入されたＦＦＣ１１は、広口部６２を形成するスキャナハウジング３０の内壁によって拘束される。また、スキャナハウジング３０は、広口部６２と狭口部６３との接続部の一方に広口部６２側へ突出する押さえ部６５を有している。押さえ部６５は、広口部６２の内側へ突出しており、広口部６２に挿入されたＦＦＣ１１の移動を制限する。ＦＦＣ１１と同様に、狭口部６３に挿入された電源ケーブル１２は、狭口部６３を形成するスキャナハウジング３０の内壁によって拘束される。これにより、広口部６２に挿入されたＦＦＣ１１ならびに狭口部６３に挿入された電源ケーブル１２は、長手の軸方向への移動のみが許容され、軸に垂直な板厚方向あるいは幅方向への移動は制限される。
【００２８】
以上説明した本発明の第１実施例によると、ＦＦＣ１１および電源ケーブル１２はスキャナハウジング３０の突出部６０に形成されている開口部６１を経由してプリンタハウジング２０の内部へ引き出されている。そのため、ＦＦＣ１１および電源ケーブル１２の大部分は突出部６０の内部に収容される。これにより、ＦＦＣ１１および電源ケーブル１２を保護するための部材は不要となる。したがって、部品点数の増大を招くことなく簡単な構造でＦＦＣ１１および電源ケーブル１２の露出を低減することができる。
【００２９】
また、突出部６０ならびに突出部６０が収容される収容部５２は、スキャナハウジング３０とプリンタハウジング２０とを揺動可能に支持するために画像入出力装置１０に必須の構成部位である。そして、突出部６０および収容部５２とを円筒形状とするとともに、突出部６０および収容部５２の中心をスキャナハウジング３０の回転中心と一致させている。これにより、スキャナハウジング３０の開閉時において、相対移動する突出部６０と収容部５２とは容積の変化がない。さらに、突出部６０に開口部６１を形成し、開口部６１にＦＦＣ１１および電源ケーブル１２を挿入することにより、他の部材を設置することなくＦＦＣ１１および電源ケーブル１２の露出が低減される。したがって、画像入出力装置１０の体格が大型化するのを抑制できる。
【００３０】
さらに、本実施例では、開口部６１は挿入されるＦＦＣ１１および電源ケーブル１２の断面形状よりもやや大きく形成されている。そのため、ＦＦＣ１１および電源ケーブル１２は開口部６１へ容易に挿入することができる。一方、開口部６１に挿入されたＦＦＣ１１および電源ケーブル１２は、開口部６１を形成するスキャナハウジング３０の内壁によって移動が制限される。そのため、スキャナハウジング３０の開閉にともなって挿入されたＦＦＣ１１および電源ケーブル１２が相互に干渉することは防止され、ＦＦＣ１１および電源ケーブル１２の損傷を防止することができる。
【００３１】
（第２実施例）
本発明の第２実施例を図７に示す。なお、第１実施例と実質的に同一の構成部位には同一の符号を付し、説明を省略する。
図７は、第２実施例による画像入出力装置１０においてスキャナハウジング３０の突出部６０に形成された開口部７１を示す概略図である。第２実施例による画像入出力装置１０は、スキャナハウジング３０の突出部６０に形成されている開口部７１の形状が第１実施例と異なる。第２実施例では、開口部７１は、ＦＦＣ１１が挿入される扁平開口部７２、ならびに電源ケーブル１２が挿入される円形開口部７３を有している。さらに、開口部７１には、例えば電力やデータなどが転送される任意の扁平ひも状のケーブル１３が挿入される矩形開口部７４を含めてもよい。
【００３２】
これらのＦＦＣ１１が挿入される扁平開口部７２、電源ケーブル１２が挿入される円形開口部７３、ならびにケーブル１３が挿入される矩形開口部７４は、それぞれ独立している。扁平開口部７２は、ＦＦＣ１１の断面形状に対応する略長方形状であり、ＦＦＣ１１の断面よりもやや大きく形成されている。一方、円形開口部７３は、電源ケーブル１２の断面形状に対応する略円形状であり、電源ケーブル１２の断面よりもやや大きく形成されている。矩形開口部７４は、挿入されるケーブル１３の断面形状に対応する略矩形状である。
【００３３】
第２実施例では、ＦＦＣ１１、電源ケーブル１２およびケーブル１３はそれぞれ扁平開口部７２、円形開口部７３または矩形開口部７４に挿入されている。そのため、第１実施例と同様の効果に加え、ＦＦＣ１１と、電源ケーブル１２と、ケーブル１３とは相互の干渉が防止される。したがって、ＦＦＣ１１、電源ケーブル１２およびケーブル１３をより確実に支持することができ、ＦＦＣ１１、電源ケーブル１２およびケーブル１３の損傷を防止することができる。
【００３４】
以上説明した複数の実施例では、画像入出力装置について説明したが、本発明は例えばノート型ＰＣあるいは折り畳み式の携帯電話機など、二つ以上の揺動するケースを備える電子装置に適用することができる。また、上述の実施例では、レンズ縮小型のリニアイメージセンサを備えた画像入出力装置について説明したが、密着型のリニアイメージセンサを備えた画像入出力装置に本発明を適用してもよい。さらに、接続手段としてＦＦＣおよび電源ケーブルを例示したが、これらに限るものではない。さらにまた、突出部および収容部の位置は、適用される電子装置に応じて任意に設定することができる。さらにまた、開口部に挿入されるケーブルの種類および数は任意に選定することができ、選定されたケーブルの種類および数に合わせて開口部の形状を任意に選定することができる。
【図面の簡単な説明】
【００３５】
【図１】本発明の第１実施例による画像入出力装置の接続部を示す断面図。
【図２】本発明の第１実施例による画像入出力装置の外観を示す斜視図。
【図３】本発明の第１実施例による画像入出力装置の内部構成を示す模式図。
【図４】本発明の第１実施例による画像入出力装置の接続部を示す断面図。
【図５】本発明の第１実施例による画像入出力装置の突出部を示す斜視図。
【図６】本発明の第１実施例による画像入出力装置の開口部を示す概略図。
【図７】本発明の第２実施例による画像入出力装置の開口部を示す概略図。
【符号の説明】
【００３６】
１０  画像入出力装置（電子装置）、１１  ＦＦＣ（接続手段、第一ケーブル）、１２  電源ケーブル（接続手段、第二ケーブル）、１３  ケーブル（接続手段）、２０  プリンタハウジング（第一ケース）、２２  印刷部（第一機能部）、２３  処理部（第一機能部）、２４  操作部（第一機能部）、３０  スキャナハウジング（第二ケース）、３４  ガイドロッド（第二機能部）、４０  キャリッジ（第二機能部）、４１  モータ（第二機能部）、４２  リニアイメージセンサ（第二機能部）、４３  走査回路基板（第二機能部）、４４  レンズ（第二機能部）、４５  ミラー（第二機能部）、４６  光源（第二機能部）、４７  ギア（第二機能部）、４８  ギア（第二機能部）、５２  収容部、６０  突出部、６１  開口部
【図１】
2005074741.tif 000003
【図２】
2005074741.tif 000004
【図３】
2005074741.tif 000005
【図４】
2005074741.tif 000006
【図５】
2005074741.tif 000007
【図６】
2005074741.tif 000008
【図７】
2005074741.tif 000009